(57)【特許請求の範囲】
【請求項１】
砥粒と液体とが混合されたスラリが導入されて一時貯溜されるスラリ貯溜室の近傍にエア噴射部が設けられ、このエア噴射部から加圧されたエアが噴射されることにより前記スラリ貯溜室から前記スラリが導出されて該スラリと前記エアが混合室に送られて混合し、前記エアと前記スラリとが混合した噴射材をスリット状の噴射部から噴射するノズル体を具備したウエットブラスト装置であって、前記混合室は、前記噴射部と同じ巾長さを有し、また、前記スラリは、前記エア噴射部からエアが噴射された際、前記スラリ貯留室からスラリ導出部を介して導出される構成であり、前記スラリ導出部は前記混合室に開口するスラリ導出孔を複数並設した多孔構造であり、また、前記エア噴射部は前記混合室に開口するエア噴射孔を複数並設した多孔構造であり、また、前記各エア噴射孔と前記各スラリ導出孔とは対応する位置関係に設けられており、また、前記各エア噴射孔には前記エアを各別に供給するエア供給部が連設され、この各エア供給部には、前記エアの通過を阻止する弁部が設けられていることを特徴とするウエットブラスト装置。
【請求項２】
請求項１記載のウエットブラスト装置において、前記ノズル体における前記スラリが通過する部位にはウレタン樹脂製の保護層が設けられていることを特徴とするウエットブラスト装置。
【請求項３】
請求項１，２いずれか１項に記載のウエットブラスト装置において、前記弁部として電磁弁を採用したことを特徴とするウエットブラスト装置。
【発明の詳細な説明】
【技術分野】
【０００１】
本発明は、ウエットブラスト装置に関するものである。
【背景技術】
【０００２】
従来から、砥粒と液体とが混合されたスラリを加圧エアにより加圧した所謂ウエットブラストを噴射口からワークに噴射し、該ウエットブラストによってワークにバリ処理等の加工や摩耗試験等の検査を施すウエットブラスト技術について種々の提案がなされており、このウエットブラストを良好に噴射する為のノズル体も種々提案されている。
【０００３】
ところで、例えば、巾６００ｍｍ等の大きなワークの表面をウエットブラスト技術によって均一に加工する為には、ノズル体の噴射口を巾６００ｍｍ以上のスリット状としたウエットブラスト用のノズル体を用意し、該ノズル体に対してワークを移動させることで該ワークの表面全面を可及的に同時に加工する手段が採用される。
【０００４】
しかし、このようなスリット状の噴射口からウエットブラストを均一な混合状態で噴射することは極めて厄介である。なぜなら、噴射口が巾広であればある程、スラリ中の砥粒の濃度が場所によって濃くなったり薄くなったりし易くなるからである。
【０００５】
従って、巾２００ｍｍ以上のようなスリット状の噴射口を有するノズル体では、該噴射口から噴射されるスラリ（砥粒と液体）とエアとを均一な混合状態とすることができず、ワークに加工ムラが発生してしまうことになり、精密な加工や検査が行えないという問題点があった。
【０００６】
そこで、本出願人は、前述した問題点を解消すべく、特許第３５４０７１３号に開示されるノズル体を提案しており、このノズル体は、スラリ貯留室に貯留されるスラリが導出する導出通路を、小孔が並設される多孔構造に設け、また、このスラリをスラリ貯留室から導出するエアが通過するエア噴射通路を、小孔が並設される多孔構造に設けたものであり、この構成から、長尺スリット状の噴射口から噴射されるスラリ（砥粒と液体）とエアとを均一な混合状態とすることができ、非常に実用性に秀れて画期的である。
【０００７】
【特許文献１】特許第３５４０７１３号公報
【発明の開示】
【発明が解決しようとする課題】
【０００８】
本発明者は、このエアとスラリとが混合された噴射材をスリット状の噴射部から噴射するノズル体を具備したウエットブラスト装置について更なる研究・開発を進め、その結果、従来に無い作用効果を発揮する画期的なウエットブラスト装置を開発した。
【課題を解決するための手段】
【０００９】
添付図面を参照して本発明の要旨を説明する。
【００１０】
砥粒と液体とが混合されたスラリが導入されて一時貯溜されるスラリ貯溜室１の近傍にエア噴射部２が設けられ、このエア噴射部２から加圧されたエアが噴射されることにより前記スラリ貯溜室１から前記スラリが導出されて該スラリと前記エアが混合室３に送られて混合し、前記エアと前記スラリとが混合した噴射材４をスリット状の噴射部５から噴射するノズル体６を具備したウエットブラスト装置であって、前記混合室３は、前記噴射部５と同じ巾長さを有し、また、前記スラリは、前記エア噴射部２からエアが噴射された際、前記スラリ貯留室１からスラリ導出部12を介して導出される構成であり、前記スラリ導出部12は前記混合室３に開口するスラリ導出孔13を複数並設した多孔構造であり、また、前記エア噴射部２は前記混合室３に開口するエア噴射孔７を複数並設した多孔構造であり、また、前記各エア噴射孔７と前記各スラリ導出孔13とは対応する位置関係に設けられており、また、前記各エア噴射孔７には前記エアを各別に供給するエア供給部８が連設され、この各エア供給部８には、前記エアの通過を阻止する弁部11が設けられていることを特徴とするウエットブラスト装置に係るものである。
【００１１】
また、請求項１記載のウエットブラスト装置において、前記ノズル体６における前記スラリが通過する部位にはウレタン樹脂製の保護層が設けられていることを特徴とするウエットブラスト装置に係るものである。
【００１２】
また、請求項１，２いずれか１項に記載のウエットブラスト装置において、前記弁部11として電磁弁を採用したことを特徴とするウエットブラスト装置に係るものである。
【発明の効果】
【００１３】
本発明は上述のように構成したから、スリット状の噴射部の全域から噴射材を所定の噴射圧で噴射することのみならず、部分的に所定の噴射圧で噴射することが可能となり、よって、例えばワークの大きさ（巾）に応じて噴射材の噴射巾を可変することができ、無駄の無い効率の良い加工が行えることになり、しかも、噴射材をワーク表面に対して部分的に噴射することで任意の加工（例えばワーク表面の性質を変える加工や、ワーク表面に柄を形成する加工などの種々の加工）が行えることになるなど従来にない作用効果を発揮する画期的なウエットブラスト装置となる。
【発明を実施するための最良の形態】
【００１４】
好適と考える本発明の実施形態を、図面に基づいて簡単に説明する。
【００１５】
エア噴射部２から加圧されたエアが噴射されると、スラリ貯溜室１からスラリが導出されて該スラリとエアが混合室３に送られ混合し、このエアとスラリとが混合された噴射材４はスリット状の噴射部５から噴射される。
【００１６】
エア噴射部２は混合室３に開口するエア噴射孔７を複数並設した多孔構造であり、この構成から、エアとスラリとが混合されて噴射される噴射材４は良好にワークに噴射される。
【００１７】
具体的には、エア噴射部２に設けた各エア噴射孔７がオリフィスの役割を果たし、更に、エア噴射部２から噴射されるエアは整流状態で噴射されることになり、乱流状態で噴射する場合と比較すると、該エアの圧力のわりに該エアの流速が速く且つ一定になり、従って、この構造のノズル体６は、エアのエネルギー損失が極めて少なく（エアの圧力と噴射材４の流速とを比較した場合、噴射材４の流速が著しく低くなったりしない）、よって、エアとスラリとが混合されて噴射される噴射材４は良好にワークに噴射され、良好な加工が行われることになる。
【００１８】
また、本発明は、各エア噴射孔７にエアを供給するエア供給部８が連設され、このエア供給部８には、前記エアの供給を停止するエア供給制御機構が設けられているから、従来では不可能であった良好な加工が行えることになる。
【００１９】
即ち、スリット状の噴射部の巾よりもワークの巾が狭い場合、従来においてはワークに噴射されない噴射材の無駄や、必要以上に電力が使用され、エネルギー損失などの問題点が生じていた（ワークの巾に応じて異なる巾の噴射部を有するノズル体を複数用意していたのではコスト高となってしまう。）。
【００２０】
この点、本発明は、前述した構成から、一のエア噴射孔７のエア供給部８のエア供給を停止すると、スラリは加速されず加工力が得られない為、任意の部分において加工力を得ることが可能となる。
【００２１】
従って、常にスリット状の噴射部５の全域から噴射材４を所定の噴射圧で噴射することのみならず、部分的に所定の噴射圧で噴射することが可能となり、よって、ワークの大きさ（巾）に応じて噴射材４の噴射巾を可変することができ、無駄の無い効率の良い加工が行えることになる。
【００２２】
また、本発明は、噴射材４をワーク表面に対して部分的に噴射することで任意の加工、例えばワーク表面の性質を変える加工や、ワーク表面に柄（グラデーション模様など）を形成する加工などの種々の加工が行えることになる。
【００２３】
また、本発明は、従来からマスクを使用しながら行っていた加工を適宜噴射材４の噴射部位を可変することでマスク無しでも行うことができる。
【実施例】
【００２４】
本発明の具体的な一実施例について図面に基づいて説明する。
【００２５】
本実施例は、砥粒と液体とが混合されたスラリが導入されて一時貯溜されるスラリ貯溜室１の近傍にエア噴射部２が設けられ、このエア噴射部２から加圧されたエアが噴射されることにより前記スラリ貯溜室１から前記スラリが導出されて該スラリと前記エアが混合室３に送られ混合し、前記エアと前記スラリとが混合された噴射材４をスリット状の噴射部５から噴射するノズル体６を具備したウエットブラスト装置である。
【００２６】
具体的には、本実施例は、図１に図示したようにワークを収納する処理本体21の下方位置に配設されるスラリ貯溜部22と、このスラリ貯溜部22からポンプ装置23を介して処理本体21内へスラリを搬送するスラリ搬送部24と、処理本体21内に配設され、スラリ搬送部24で搬送されたスラリを噴射するスラリ噴射部としてのノズル体６とで構成されており、このノズル体６から噴射されたスラリが処理本体21の下方のスラリ貯溜部22へ貯留されて再利用される構成である。
【００２７】
ノズル体６は、図１〜４に図示したように巾方向に長く前後方向に短い長尺部材14と、この長尺部材14の下部に垂設状態で連設され巾方向に長く肉薄の長尺の板状部材15と、長尺部材14の上部に被嵌状態に連設されるブロック状の被嵌部材16（前体16Ａ及び後体16Ｂ）とから構成されている。尚、長尺部材14，板状部材15及び被嵌部材16は、可及的に寸法変形しない素材、例えば、金属材により形成されている。
【００２８】
図４に図示したように長尺部材14の下部と板状部材15の上部との間には混合室１が設けられ、この長尺部材14の下部にはこの混合室１に開口するエア噴射孔７（丸孔部）を並設して成るエア噴射部２が設けられている。
【００２９】
このエア噴射孔７は、図３，４，５に図示したように長尺部材14に設けた貫通孔14ａと連設され、この長尺部材14は被嵌部材16（後体16Ｂ）に設けた貫通孔16ａと連結されている。
【００３０】
長尺部材14の貫通孔14ａは、該長尺部材14の長さ方向に複数（８本）並設されており、一端が前記エア噴射孔７と連結し、他端が長尺部材14の一側面に開口するように設けられている。
【００３１】
被嵌部材16の貫通孔16ａは、前述した長尺部材14の一側面に開口する各貫通孔14ａに一端が連設するように複数（８本）設けられており、この各貫通孔16ａの他端は被嵌部材16の上面に開口するように設けられている。
【００３２】
この貫通孔14ａ，貫通孔16ａは、エア供給部８の構成部分であり、(貫通孔14ａ，貫通孔16ａ，エア供給路10ａによりエア供給部８が構成される。）各貫通孔16ａには、エア供給源10から延設され８経路に分岐するエア供給路10ａが連設されている。
【００３３】
また、各エア供給部８、具体的には、各エア供給路10ａには、エアの通過を阻止する弁部11（電磁弁）が設けられており、この各弁部11はコンピュータ（図示省略）により作動制御されている。
【００３４】
従って、このエア供給制御機構により、エアを噴射する各エア噴射孔７を制御することで、即ち、エアの供給を弁部11を閉じることで停止すると、その停止したエア噴射孔７に対応するスラリ導出孔13からのスラリの導出は抑制され、スラリの作用は発揮されず（スラリは加速されない為、加工力は得られない。）、よって、スリット状の噴射部５から所定の噴射圧の噴射材４を任意の位置から任意の巾で噴射することができる。
【００３５】
即ち、図５は８本のエア噴射孔７のうち、３本のエア噴射孔７にのみエアを供給し、このエアが噴射されたエア噴射孔７と直線状に位置する噴射部５の部位から所定の噴射圧にて噴射材４を噴射させた場合であるが、エアを噴射させるエア噴射孔７の位置及び数は任意に設定可能であり、よって、噴射部５から所定の噴射圧の噴射材４を任意の位置から任意の巾で噴射させることができる。
【００３６】
尚、エア供給路10ａ夫々に独立したエア供給源10を設けても良く、任意の数のエア噴射孔７から噴射させるエアの圧力を可変し、噴射部５から噴射させる噴射材４の噴射圧を部位によって異ならせるようにしても良い。
【００３７】
また、長尺部材14の下部には混合室３に開口するスラリ噴射孔13を並設して成るスラリ導出部12が設けられている。
【００３８】
具体的には、このスラリ導出部12は、図４に図示したように長尺部材14に貫通状態に設けたスラリ導出孔13で構成されている。
【００３９】
このスラリ導出孔13は、該長尺部材14の長さ方向に複数（８本）並設されており、一端が長尺部材14の下部に設けた混合室３に開口し他端が長尺部材14の他側面に開口する状態で並設されている。
【００４０】
従って、スラリ導出部12は、後述するスリット状の噴射部５のスリット巾方向に長さを有しており、このスラリ導出部12の長さ方向にスラリ導出孔13が並設された構造となる。
【００４１】
また、この各スラリ導出孔13は前記各エア噴射孔７と一対一に対応する位置関係に設定されている。即ち、平面視において貫通孔14ａ，エア噴射孔７，スラリ導出孔13は同一垂直平面上に設けられている。
【００４２】
また、このスラリ導出孔13における長尺部材14の他側面に開口する開口部は、スラリ貯留室１に連設される。
【００４３】
このスラリ貯留室１は、図４，６に図示したように被嵌部材16（前体16Ａ）の内部に設けられており、このスラリ貯留室１の上部には前述したスラリ搬送部24が接続されスラリを導入するスラリ導入部17が被嵌部材16の上面に開口状態に設けられ、また、スラリ貯留室１の側部には該スラリ貯留室１からスラリを導出するスリット状のスラリ導出通路18が被嵌部材16の内壁面に開口状態に設けられている。
【００４４】
このスラリ導出通路18は、図４に図示したように長尺部材14に被嵌部材16を被嵌した際、長尺部材14に設けた各スラリ導出孔13に連通状態となるように構成されている。
【００４５】
本実施例では、前述したエア噴射部２における各エア噴射孔７の混合室３側開口部は、前述したスラリ導出部12における各スラリ導出孔13の混合室３側開口部よりも下方に位置するように設定されている。
【００４６】
この構成によりエア噴射孔７から混合室３へエアが供給されると、該エアの下方への通過移動により、エア噴射部２の混合室３側開口部とスラリ導出部12の混合室３側開口部の間が負圧となり、よって、該スラリ導出部12の混合室３側開口部からスラリが吸引されて混合室３内に導出され、該混合室３内にて該スラリと前記エアとが混合されることになる。
【００４７】
板状部材15は、内部に前記混合室３と連通するスリット状の通過経路15ａが設けられ、この通過経路15ａの下部は開口され、この開口が前記スリット状の噴射部５に設定されている。
【００４８】
また、本実施例は、上記各構成の内、スラリの通過する経路には図示省略のウレタン樹脂製の保護層が被覆されている。この保護層は、スラリ（特に砥粒）により該スラリの通過する経路が研磨されてしまうことを防止するものであり、この保護層の存在により、ノズル体の寿命が数倍に延びることが確認されている。
【００４９】
また、このウレタン樹脂は、前記長尺部材，板状部材及び被嵌部材の各部材同士が当接する部位にもシール部材として設けられている。
【００５０】
また、エアのみが通過する経路には、可及的にウレタン樹脂を設けない構成が採用されている。これは、ウレタン樹脂は表面摩擦抵抗が大きい為、ウレタン樹脂が存在すると、このウレタン樹脂と加圧エアとの接触により該加圧エアの圧力を損じてしまうからである。
【００５１】
本実施例は上述のように構成したから、エア噴射部２には各エア噴射孔７にエアを供給するエア供給部８が連設され、このエア供給部８は、前記エアの供給を停止し得るエア供給制御機構を有しており、この構成から、一のエア噴射孔７のエア供給部８のエアの供給を停止すると、このエア噴射孔７に対応するスラリ導出孔13から導出されるスラリは加速されず加工力が得られず、よって、スリット状の噴射部５の任意の部分において所定の加工力を得ることが可能となる。従って、常にスリット状の噴射部５の全域から噴射材４を所定の噴射圧で噴射する加工のみならず、部分的に所定の噴射圧で噴射することが可能となり、よって、ワークの大きさ（巾）に応じて噴射部５から噴射する噴射材４の噴射巾を可変することができ、無駄の無い効率の良い加工が行えることになる。
【００５２】
また、本実施例は、噴射材４をワーク表面に対して部分的に噴射することで任意の加工、例えばワーク表面の性質を変える加工や、ワーク表面に柄（グラデーション模様など）を形成する加工などの種々の加工が行えることになる。
【００５３】
また、本実施例は、従来からマスクを使用しながら行っていた加工を適宜噴射材４の噴射部位を可変することでマスク無しでも行うことができる。
【００５４】
また、本実施例は、エア供給源10から分岐するエア供給路10ａを混合室３に先端部が開口するエア噴射孔７夫々の基端部に接続して成る構成であり、この各エア供給路10ａにエアの通過を阻止する弁部11を設けてエア供給制御機構を構成したから、各エア噴射孔７を制御し得ることで任意の加工が良好に行えることになる。
【００５５】
また、本実施例は、エア噴射部２はスリット状の噴射部５のスリット長さ方向に長さを有するものであり、エア噴射部２の長さ方向にエア噴射孔７が複数並設されているから、特許第３５４０７１３号に開示されるように、噴射部５からスラリ（砥粒及び液体）とエアとを均一な混合状態で噴射することができることになる。
【００５６】
また、本実施例は、エア噴射部２からエアが噴射された際、スラリ貯留室１から所定長さを有するスラリ導出部12を介してスラリが導出する構成であり、スラリ導出部12は混合室３に開口するスラリ導出孔13を複数並設した多孔構造であるから、特許第３５４０７１３号に開示されるように、噴射部５からスラリ（砥粒及び液体）とエアとを均一な混合状態で噴射することができることになる。
【００５７】
尚、本発明は、本実施例に限られるものではなく、各構成要件の具体的構成は適宜設計し得るものである。
【図面の簡単な説明】
【００５８】
【図１】本実施例の使用状態を示す概略説明図である。
【図２】本実施例の斜視図である。
【図３】本実施例の後体及び長尺部材の要部を断面にした説明分解斜視図である。
【図４】本実施例の側断面図である。
【図５】本実施例の使用状態を示す図４中のＡ−Ａ断面図である。
【図６】本実施例の要部を示す図４中のＢ−Ｂ断面図である。
【符号の説明】
【００５９】
１  スラリ貯留室
２  エア噴射部
３  混合室
４  噴射材
５  噴射部
６  ノズル体
７  エア噴射孔
８  エア供給部
11  弁部
12  スラリ導出部
13  スラリ導出孔
【図１】
0005231819.tif 000002
【図２】
0005231819.tif 000003
【図３】
0005231819.tif 000004
【図４】
0005231819.tif 000005
【図５】
0005231819.tif 000006
【図６】
0005231819.tif 000007